(57)【要約】【課題】新たな情報を容易に入力することができる情報処理装置、及び情報処理方法を提供する。【解決手段】入力された情報を記憶する記憶部２９と、記憶部に記憶された情報を所定の色を用いて表示する表示部１３と、表示部に表示された情報のうち、修正対象の情報の選択を受付ける選択受付部２５と、修正対象の情報が選択された際に、修正対象の情報の色を変更する色設定部２６と、新たに入力された情報を表示部に表示させる情報受付部２５と、新たに入力された情報の確定を受付ける確定受付部２５と、新たに入力された情報が確定した際に、修正対象の情報を新たに入力された情報に更新する入力更新部２７とを備える。【選択図】図２
2013235404.tif 000002
【特許請求の範囲】
【請求項１】
入力された情報を記憶する記憶部と、
該記憶部に記憶された前記情報を所定の色を用いて表示する表示部と、
該表示部に表示された前記情報のうち、修正対象の情報の選択を受付ける選択受付部と、
前記修正対象の情報が選択された際に、前記修正対象の情報の色を変更する色設定部と、
新たに入力された情報を受付けて前記表示部に表示させる情報受付部と、
前記新たに入力された情報の確定を受付ける確定受付部と、
前記新たに入力された情報が確定した際に、前記修正対象の情報を前記新たに入力された情報に更新する入力更新部と
を備えることを特徴とする情報処理装置。
【請求項２】
請求項１に記載の情報処理装置であって、
前記色設定部は、前記修正対象の情報を、該修正対象の情報に用いた色よりも薄い色に変更することを特徴とする情報処理装置。
【請求項３】
請求項１又は２に記載の情報処理装置であって、
前記新たに入力された情報が確定した際に、前記入力更新部は、前記修正対象の情報を消去することを特徴とする情報処理装置。
【請求項４】
請求項１から３のいずれか１項に記載の情報処理装置であって、
前記修正対象の情報及び前記新たに入力された情報は、前記修正対象の情報及び前記新たに入力された情報とは異なる情報とともに、前記表示部に表示されることを特徴とする情報処置装置。
【請求項５】
請求項１から４のいずれか１項に記載の情報処理装置であって、
前記表示部は、入力操作を受付ける画面を有するタッチパネルを備えたことを特徴とする情報処置装置。
【請求項６】
入力操作を受付け、入力された情報を記憶部に記憶するステップと、
該記憶部に記憶された前記情報を所定の色を用いて表示部に表示するステップと、
該表示部に表示された前記情報のうち、修正対象の情報の選択を受付けるステップと、
前記修正対象の情報を、該修正対象の情報に用いた色よりも薄い色に変更するステップと、
新たに入力された情報を受付けて前記表示部に表示させるステップと、
前記新たに入力された情報の確定を受付けるステップと、
前記新たに入力された情報が確定した際に、前記修正対象の情報を前記新たに入力された情報に更新するステップと、
前記修正対象の情報を消去するステップと
から構成される情報処理方法。
【発明の詳細な説明】
【技術分野】
【０００１】
本発明は、情報処理装置、及び情報処理方法に関し、詳細には、入力された情報を画面に表示する情報処理装置、及び情報処理方法に関する。
【背景技術】
【０００２】
この種の情報処理装置には、入力操作を受付ける画面を有した構造があり、例えば、タッチペンで入力された画像を表示することができる。
ここで、入力された画像を修正したい場合には、修正対象の画像を全て消し、改めて入力し直す手法や、修正対象の画像を部分的に消し、その後、修正したい箇所を入力し直す手法が考えられる。
【０００３】
例えば、特許文献１には、入力された画像を一部修正できる技術が提案され、描画と消去とのモード選択や、青色と赤色との色選択が可能に構成されている。そして、消去モードでは、予め選択されていた青色あるいは赤色の画像を、タッチペンでなぞって消すことができる。
【先行技術文献】
【特許文献】
【０００４】
【特許文献１】特開平１１−６６３３３号公報
【発明の概要】
【発明が解決しようとする課題】
【０００５】
ところで、入力された画像を修正する場合、例えば清書を行う場合には、同じ画面にて、修正対象の画像を見ながら新たな画像を入力したいことが想定される。この場合に特許文献１の手法を用いると、新たな画像の入力を開始するためには、描画モードを選択するとともに、修正対象の画像の入力に用いた色とは別の色を選択しなければならない。このように、特許文献１の手法では、新たな画像を入力する前に、異なる色を選択させる作業をユーザに強いるという問題がある。
【０００６】
本発明は、上述の如き実情に鑑みてなされたもので、新たな情報を容易に入力することができる情報処理装置、及び情報処理方法を提供することを目的とする。
【課題を解決するための手段】
【０００７】
上記課題を解決するために、本発明の第１の技術手段は、入力された情報を記憶する記憶部と、該記憶部に記憶された前記情報を所定の色を用いて表示する表示部と、該表示部に表示された前記情報のうち、修正対象の情報の選択を受付ける選択受付部と、前記修正対象の情報が選択された際に、前記修正対象の情報の色を変更する色設定部と、新たに入力された情報を受付けて前記表示部に表示させる情報受付部と、前記新たに入力された情報の確定を受付ける確定受付部と、前記新たに入力された情報が確定した際に、前記修正対象の情報を前記新たに入力された情報に更新する入力更新部とを備えることを特徴とする情報処理装置である。
【０００８】
第２の技術手段は、第１の技術手段において、前記色設定部は、前記修正対象の情報を、該修正対象の情報に用いた色よりも薄い色に変更することを特徴とするものである。
【０００９】
第３の技術手段は、第１又は２の技術手段において、前記新たに入力された情報が確定した際に、前記入力更新部は、前記修正対象の情報を消去することを特徴とするものである。
【００１０】
第４の技術手段は、第１から３のいずれか１の技術手段において、前記修正対象の情報及び前記新たに入力された情報は、前記修正対象の情報及び前記新たに入力された情報とは異なる情報とともに、前記表示部に表示されることを特徴とするものである。
【００１１】
第５の技術手段は、第１から４のいずれか１の技術手段において、前記表示部は、入力操作を受付ける画面を有するタッチパネルを備えたことを特徴とするものである。
【００１２】
第６の技術手段は、情報処理方法であり、入力操作を受付け、入力された情報を記憶部に記憶するステップと、該記憶部に記憶された前記情報を所定の色を用いて表示部に表示するステップと、該表示部に表示された前記情報のうち、修正対象の情報の選択を受付けるステップと、前記修正対象の情報を、該修正対象の情報に用いた色よりも薄い色に変更するステップと、新たに入力された情報を受付けて前記表示部に表示させるステップと、前記新たに入力された情報の確定を受付けるステップと、前記新たに入力された情報が確定した際に、前記修正対象の情報を前記新たに入力された情報に更新するステップと、前記修正対象の情報を消去するステップとから構成されることを特徴とするものである。
【発明の効果】
【００１３】
本発明によれば、修正対象の情報が選択された場合、色設定部が修正対象の情報の色を変更するので、新たな情報を入力する前に、修正対象の情報に用いた色とは異なる色を選択しなくて済む。よって、従来の手法に比して新たな情報を容易に入力することができる。
【図面の簡単な説明】
【００１４】
【図１】本発明による情報処理装置の外観斜視図である。
【図２】本発明による情報処理装置の構成図である。
【図３】本発明による修正処理のフローチャートである。
【図４】本発明による修正処理の画面の説明図である。
【図５】本発明による修正処理の画面の説明図である。
【図６】本発明による修正処理の画面の説明図である。
【図７】本発明による修正処理の画面の説明図である。
【発明を実施するための形態】
【００１５】
以下、図面を参照しながら本発明の情報処理装置について説明する。図１は、本発明による情報処理装置の外観斜視図である。情報処理装置１は、例えば、平板状の筐体１０を備え、筐体１０の側面には、電源スイッチ１１やスピーカ１２が設置されている。筐体１０の表面には、例えば、四角形状の表示／操作部１３が形成されており、メニュー、ホーム、バックの操作キー１４やカメラ１５が表示／操作部１３の周辺に設けられている。
【００１６】
図２は、本発明による情報処理装置の構成図である。
表示／操作部１３は、例えば、液晶のディスプレイ２２と透明抵抗膜方式のタッチパネル２０で構成され、例えば、ディスプレイ２２の上にタッチパネル２０を重ねて形成されている。なお、この表示／操作部１３が本発明の表示部に相当する。
ディスプレイ２２には、表示用の直交座標系が設定され、画素がこの座標系に沿ってマトリクス状に配列されている。
【００１７】
表示コントローラ２３は、制御部２４からの指示に基づき、例えば、資料の画像（ラスタイメージデータ）などのディスプレイ２２への表示を制御する。画素の位置は制御部２４に出力され、例えば、記憶部２９に記憶される。なお、資料の画像データは、非圧縮形式の他、ＪＰＥＧ等の圧縮形式で保存してもよい。
一方、タッチパネル２０は透明電極を有し、透明電極には、入力用の直交座標系が設定されている。この直交座標系は上記表示用の直交座標系に対応している。
【００１８】
制御部２４は、情報処理装置１を操作するためのＧＵＩ（グラフィカルユーザインタフェース）や、文字入力キーをディスプレイ２２に表示させる。また、タッチパネル２０には、手書きの画像を入力することができる。パネルコントローラ２１は、タッチパネル２０に触れた位置を検出し、この位置は制御部２４に出力される。制御部２４は、上記表示用の直交座標系に変換し、軌跡をなす手書きの画像データとして記憶部２９に記憶させる。なお、記憶部２９には、ＲＡＭやＨＤＤなどを用いることができる。
【００１９】
そして、後述のように、制御部２４が資料や手書きの画像データを記憶部２９から呼び出し、ＲＯＭ２８に記憶された所定のプログラムにしたがって、資料の画像と手書きの画像とをディスプレイ２２に合成すると、情報処理装置１のユーザは、合成後の画像を表示／操作部１３から見ることができる。
ここで、情報処理装置１は、表示／操作部１３に表示された画像を修正可能に構成され、特に、修正対象の画像を見ながら新たな画像に修正、例えば清書を行うことができる。なお、この修正対象の画像が本発明の修正対象の情報に該当するが、本発明は画像を修正する場合のみならず、例えば、テキストデータを修正する場合にも適用可能である。
【００２０】
具体的には、制御部２４は、修正制御部２５、色設定部２６、入力更新部２７を有している。
修正制御部２５は、入力された画像の修正に関する中心的な役割を担い、例えば、修正対象の画像の選択を受付ける機能、新たに入力された画像を受付けて表示させる機能や、新たに入力された画像の確定を受付ける機能を有する。なお、修正制御部２５は、本発明の選択受付部、情報受付部、及び確定受付部に相当する。
【００２１】
色設定部２６は、修正制御部２５からの指示に応じて修正対象の画像の色を検出し、この色を他の色、例えば、薄い色に変更する。
また、入力更新部２７は、修正制御部２５からの指示に応じ、新たに入力された画像が確定した際に、修正対象の画像をこの新たな画像に更新している。なお、入力更新部２７が上述した新たな画像の確定を受付ける機能を有してもよい。
【００２２】
図３は、本発明による修正処理のフローチャートである。
情報処理装置１のユーザが、例えば、ネットワークを経由して会議用の資料を予め取得しており、ディスプレイ２２に表示された資料を会議中に見ながら、タッチパネル２０にタッチペンで手入力していた場合を想定する。
制御部２４は、ユーザの指示にしたがい、手書きの画像データを、例えば、記憶部２９内の資料のファイルに保存する（ステップＳ１０）。その後、ユーザが会議中に入力した手書きの画像を修正したい場合、資料のファイルを開くと、制御部２４は、資料及び手書きの画像を表示／操作部１３に表示する（ステップＳ１１）。
【００２３】
図４，５は、本発明による修正処理の画面の説明図である。まず、記憶部２９には、図４（Ａ）に示す資料Ｄに関する画像データが記憶されている。また、会議中に手書きでタッチパネル２０に入力すると、記憶部２９には、図４（Ｂ）に示す例えば、矢印や文字の手書きＨに関する画像データとして、タッチパネル２０上の座標や領域が記憶される。なお、手書きの画像データは、仮に、手書きが複数回に亘って行われた場合には、何番目の入力であるかについても記憶される。なお、この手書きＨの画像が、本発明の修正対象の情報に相当し、資料Ｄの画像が、本発明の修正対象の情報及び新たに入力された情報とは異なる情報に相当する。
【００２４】
その後、制御部２４が資料及び手書きの画像データを記憶部２９から呼び出すと、図４（Ｃ）に示した手書きの画像データには、矢印や文字による手書きＨの画像に加え、修正ボタンＢがＲＯＭ２８内のプログラムにしたがって例えば、右下の隅部分に追加される。このため、表示コントローラ２３は、図４（Ｄ）に示すように、資料Ｄと手書きＨ等とを合成した画像を、表示／操作部１３のディスプレイ２２に表示する（図３のステップＳ１１）。
【００２５】
なお、修正ボタンＢは、手書きの画像に重ならない、表示／操作部１３中の任意の位置に表示可能である。また、修正ボタンＢは、後述する修正対象領域が選択された後に表示されてもよい。あるいは、修正対象領域が選択された場合に、ポップアップのように現れて修正モードへの移行を選択させてもよい。
次に、この図４（Ｄ）の画像を見たユーザが手書きＨの画像を修正する場合、修正制御部２５が修正ボタンＢの選択、例えば、押し下げを検出すると、表示モードから修正モードに移行する（図３のステップＳ１２のＹＥＳ）。
【００２６】
これにより、図５（Ａ）に示すように、修正ボタンＢの背景が濃い色に変わり、手書きの画像を選択できる場面であることが明確になる。なお、仮に、この図５（Ａ）の修正ボタンＢに再度触れると、修正ボタンＢの背景が薄い色に変わり、表示モードに移行する。
続いて、図５（Ａ）の画像を見たユーザが手書きＨの画像のうち、例えば、タッチペンで文字に触れ、修正制御部２５が修正対象領域の選択を判定した場合（図３のステップＳ１３のＹＥＳ）、例えば、図５（Ｂ）に示すように、矢印や文字で表示された手書きＨの略中央位置を対角線の交点とした四角形状の枠Ｆが生成され、ディスプレイ２２に表示される。
【００２７】
次に、色設定部２６は、まず、ディスプレイ２２に表示された手書きＨの画像の色を、例えば、ＲＧＢ値で検出する。次いで、手書きＨや枠Ｆの画像を、手書きＨの画像に用いた現在の色とは異なる色、例えば、薄い色に変更する（図３のステップＳ１４）。詳しくは、記憶部２９に記憶された手書きＨの色の値ｘであった場合、例えば、（２５５−ｘ）×０．７５＋ｘの式を用い、所定割合だけ大きな値の色に変更する。より具体的には、ＲＧＢ値がそれぞれ２５５：６４：０であった場合には、２５５：２０７：１９１として濃度を下げている。
【００２８】
なお、修正制御部２５が修正対象領域の選択を判定した場合（図３のステップＳ１３のＹＥＳ）、上記の枠Ｆを生成せず、色設定部２６による手書きＨの画像の色検出に移行することもできる。また、色設定部２６は、手書きＨの画像が黒色であった場合に、黒色よりも薄い色として例えば、灰色に変更してもよい。
修正制御部２５は、図５（Ｃ）に示すように、手書きＨや枠Ｆの画像を薄い色でディスプレイ２２に表示させる。同時に、手書きの画像データには、例えば、確定ボタンＥが右下の隅部分に追加され、ディスプレイ２２に表示される。
【００２９】
図５（Ｃ）の画像を見たユーザは、薄い色の手書きＨの画像を参照しつつ、この手書きＨの画像に重ねて修正できる。
手書きＨの画像の色を変更した場合、色設定部２６は、次に入力される画像の色を変更前の濃い色に戻す。このため、図５（Ｄ）に示すように、タッチペンで丁寧に手入力された濃い色の文字が、新たな修正後Ｃの画像としてディスプレイ２２に表示される。
【００３０】
一方、会議中の手書きの画像データの内容に誤りがあった場合、仮に、図４（Ｄ）に示した矢印の向きが間違っていたときには、矢印の向きもタッチパネル２０を介して修正できる。これにより、図５（Ｄ）に示すように、正しい方向を指した矢印についても、修正後Ｃの画像としてディスプレイ２２に表示される。
なお、これら修正後Ｃの画像が、本発明の新たに入力された情報に相当する。また、この修正による新たな画像の入力が確定するまでは、タッチパネル２０（修正後Ｃの画像を含む）の大きさのデータで記憶部２９に一時的に記憶される。これに対し、この修正による新たな画像の入力が確定した場合、修正後Ｃの画像は、図５（Ｄ）の破線で示した枠Ｆ’に相当する、必要最小限の大きさのデータで記憶部２９に記憶される。
【００３１】
続いて、図５（Ｄ）において、ユーザが確定ボタンＥに触れ、入力更新部２７が新たに入力された画像の確定を判定した場合（図３のステップＳ１５のＹＥＳ）、入力更新部２７は、手書きＨの画像を修正後Ｃの画像に更新する（図３のステップＳ１６）。これにより、図５（Ｅ）に示すように、薄い色で表示されていた手書きＨや枠Ｆの画像がディスプレイ２２から消去され、資料Ｄの画像と、修正後Ｃの画像とがディスプレイ２２に表示される。
【００３２】
そして、制御部２４は、手書き及び一時的に記憶した画像データを記憶部２９から消去し、また、上記のように、修正後Ｃの画像は必要最小限の範囲で記憶部２９に記憶される。
なお、上記の確定ボタンＥに替えて制御部２４にタイマーを設け、例えば、手書きの画像データの色を変更してからの時間、あるいは、新たな画像の入力が無くなってからの時間などの経過を検出し、新たに入力された画像の確定を判定してもよい。また、この時間が経過した場合、確認ボタン（図示省略）をディスプレイ２２にさらに表示し、ユーザの同意を得てから入力を確定してもよい。
【００３３】
以上のように、上記実施例によれば、修正ボタンＢの押し下げが検出された場合、色設定部２６が手書きＨの画像の色を変更するので、修正後Ｃの画像を入力する前に、手書きＨの画像に用いた色とは異なる色を選択しなくて済む。よって、従来の手法に比して修正後Ｃの画像を容易に入力することができる。
しかも、手書きＨの画像が薄い色に変更されており、修正後Ｃの画像を手書きＨの画像に重ねて入力する場合に、手書きＨの画像が修正後Ｃの画像の入力を邪魔しない。この結果、修正後Ｃの画像をより一層容易に入力できる。
【００３４】
さらに、修正後Ｃの画像の入力に伴い、手書きＨの画像は消去されることから、従来のような消去モードの選択や修正対象の画像をなぞる操作が不要になり、手書きＨの画像を容易に修正することができる。
【００３５】
図６は、本発明による修正処理の画面の説明図であり、図４，５の他の例を説明するための図である。具体的には、修正制御部２５は、図６（Ａ）に示す二重線による取り消し線Ｌ、あるいは１本の横線による取り消し線を、手書きＨの画像に重ねて入力した場合、修正モードに移行してもよい（図３のステップＳ１２のＹＥＳ）。この例による修正制御部２５は、修正対象領域の選択も併せて検出でき（図３のステップＳ１３のＹＥＳ）、上記実施例のように、タッチペンで手書きの文字に触れる作業を省略できる。
【００３６】
また、上記実施例では、図５（Ａ）の画像を見たユーザが手書きの文字に触れると、修正対象領域の選択を検出することができた（図３のステップＳ１３のＹＥＳ）。しかし、手書きの文字や矢印に触れなくても、図６（Ｂ）に示す手書きを囲む円形の枠Ｆ、若しくは、四角形状の枠、又は、図６（Ｃ）に示すような鉤型の括弧による枠Ｆを入力した場合に、修正対象領域の選択を検出してもよい（図３のステップＳ１３のＹＥＳ）。なお、この括弧には、丸型、角型、波型、山型など公知の形状を利用できる。
【００３７】
図７は、本発明による修正処理の画面の説明図であり、別の実施例を説明するための図である。図７（Ａ）に示すように、表示／操作部１３のディスプレイ２２には、タイトルの下側に空欄部分を有した資料Ｄと、この空欄部分の手書きＨとを合成した画像が表示されている。
この図７（Ａ）の画像を見たユーザが空欄部分を埋めて修正したい場合にも、修正対象の画像を選択する。例えば、タイトルの下側の空欄部分に触れると、薄い色の手書きＨの画像の他、図７（Ｂ）に示すように、カーソルＰや文字入力キーＫがディスプレイ２２に表示される。
【００３８】
続いて、ユーザは、文字入力キーＫを用いて、図７（Ｃ）に示すような資料Ｄの説明に沿う文章を入力する。その後、この新たに入力された画像が確定すると、図７（Ｄ）に示すように、手書きＨの画像がディスプレイ２２から消去され、資料Ｄ及び修正後Ｃの画像が表示される。この場合にも、手書きＨの画像データは記憶部２９から消去され、修正後Ｃによる新たな画像データが記憶部２９に記憶される。
【符号の説明】
【００３９】
１…情報処理装置、１０…筐体、１１…電源スイッチ、１２…スピーカ、１３…表示／操作部、１４…操作キー、１５…カメラ、２０…タッチパネル、２１…パネルコントローラ、２２…ディスプレイ、２３…表示コントローラ、２４…制御部、２５…修正制御部、２６…色設定部、２７…入力更新部、２８…ＲＯＭ、２９…記憶部。
【図１】
2013235404.tif 000003
【図２】
2013235404.tif 000004
【図３】
2013235404.tif 000005
【図４】
2013235404.tif 000006
【図５】
2013235404.tif 000007
【図６】
2013235404.tif 000008
【図７】
2013235404.tif 000009